(57)【要約】【課題】特に緩みにくく、組立が便利な端子台の構造を提供する。【解決手段】本発明では、主に端子台の台座１０を設け、その上に１個または複数の端子溝１１を設ける。前記端子溝１１内にはそれぞれ座金２０および逆Ｕ形ナット３０を設ける。前記座金２０と前記逆Ｕ形ナット３０との間は、対応して被せて固定し嵌め合わせることができ、端子溝１１内に嵌めこむ。前記逆Ｕ形ナット３０自体の方形構造体を端子溝１１の中に入れることによって、位置決めの作用を有するため、固定部品４０（ねじまたはねじくぎ）を座金２０および逆Ｕ形ナット３０に貫通して固定すると、前記逆Ｕ形ナット３０の力を受け、端子溝１１から緩まないことを特徴とする。【選択図】図１
2010027410.tif 000002
【特許請求の範囲】
【請求項１】
少なくとも１個の端子溝が設けてある台座と、
前記端子溝内に置かれ、最上面に平台が形成され、かつ中央にスルーホールが設けてあり、両側にそれぞれ嵌合片を設け、嵌合片上に嵌め合わせ部が設けてあり、片側の嵌合片の末端に端子ピンが設けてある座金と、
最上部にねじ山を有するスルーホールが設けてあり、かつ両側に翼片が設けてあり、該翼片上に座金の嵌合片に対応した嵌め合わせ部が設けてあり、座金の下方に置かれ、両者の嵌め合わせ部を互いにつき合わせ、互いに嵌め合わせて転動しないようにする逆Ｕ形ナットと、
軸を有し、該軸の上方にワッシャが設けてあり、軸で座金および逆Ｕ形ナットを貫通し、固定する固定部品と、
を少なくとも含むことを特徴とする、端子台の構造。
【請求項２】
座金の嵌合片が逆刺を有することを特徴とする、請求項１に記載の端子台の構造。
【請求項３】
逆Ｕ形ナットの翼片が逆刺を有することを特徴とする、請求項１に記載の端子台の構造。
【請求項４】
該座金と逆Ｕ形ナットの嵌め合わせ部は、ほぞと溝穴との間の組み合わせであることを特徴とする、請求項１に記載の端子台の構造。
【請求項５】
該座金は、両側の嵌合片の末端にそれぞれ端子ピンが設けてあることを特徴とする、請求項１に記載の端子台の構造。
【請求項６】
固定部品は、ねじまたはねじくぎであることを特徴とする、請求項１に記載の端子台の構造。
【発明の詳細な説明】
【技術分野】
【０００１】
本発明は、端子台に係り、特に緩みにくく組立が便利な端子台の構造に関する。
【背景技術】
【０００２】
端子台は、電信または電子接続においてよく用いられる構造であり、公知のもので比較的よく使用される端子台構造は、図７に示すように、主に台座（８０）を設け、台座（８０）上に１個または複数の端子溝（８１）が設けてある。端子溝（８１）の中央の位置に位置決め溝（８２）が環設してあり、位置決め溝（８２）はほぼすべて六角形の構造体であり、ナット（７０）をその中に嵌設するのに用いる（図８を参照）。
【０００３】
図７に示すように、座金（６０）が端子溝（８１）内に置かれ、座金（６０）の最上面に平台（６１）が形成されており、かつ中央にスルーホール（６２）が設けてある。座金（６０）の両側にはそれぞれ逆刺を有する嵌合片（６３）が設けてあり、座金（６０）を端子溝（８１）内に押入れ、嵌合片（６３）が端子溝（８１）の内壁に当接するようにして固定し、緩みを防止する。座金（６０）の片側の嵌合片（６３）の末端には端子ピン（６４）が設けてあり、電信の接続位置とする。
【０００４】
固定部品（５０）は、主にねじまたはねじくぎであり、軸の上方にワッシャ（５１）が設けてある。ワッシャ（５１）と座金（６０）の平台（６１）との間は、端子頭（図には未表示）に接する挟持面を構成し、固定部品（５０）を座金（６０）のスルーホール（６２）に貫通し、ナット（７０）上に螺設することによって、端子台の構造を構成する。
【０００５】
しかし、前記の構造は、使用上、固定部品（５０）を上向きに回して緩めるときに、ナット（７０）が位置決め溝（８２）を脱離することがよくあるため、２回締めるときに、調整上緩み、組立上非常に面倒であることが、公知のものの主な欠点である。
【０００６】
また、位置決め溝（８２）は、製造上、内部の溝であるため、工程が多くなり、溝の深さが浅く、固定の強度には限りがある。そのため、滑って抜けることがよくあることも欠点である。
【０００７】
図９のもう１種の公知の端子台構造も図７に示す台座（８０）を有するが、座金（９０）の中央に、公知の図７のナット（７０）構造ではなく、ねじ穴（９１）が設けてある。これによって、部品の減少に成功した設計であるように見えるが、実用上、欠点がある。主な欠点は、ねじ穴（９１）を設けてある座金（９０）で使用する必要のある材料は、真鍮（銅と亜鉛の合金）であることである。真鍮自体に材質上の欠陥があり、一般の純度の高い銅では、ねじ山を切って有効なねじ穴（９１）を製造することができないことが欠点となっている。
【０００８】
もう１つの欠点は、座金（９０）自体をナットとして兼ねる場合、螺設された力を受けるが、座金（９０）自体が端子ピンを有するため、この設計では端子ピンが直接力を受けて捻り曲り、または裂けてしまい、半田付けの接点との間で損壊しやすく、実用的ではないことである。
【発明の開示】
【発明が解決しようとする課題】
【０００９】
本発明の主な目的は、主に端子台の座金の下方に逆Ｕ形のナットを設け、前記座金と前記逆Ｕ形ナットとの間は対応して被せて固定して嵌め合わせることができ、Ｕ形ナット自体の方形構造体を利用して端子溝の中に入れることにより、ナットの緩みを防止し、前記の公知のもののすべての課題を完全に解決することである。
【課題を解決するための手段】
【００１０】
前記目的を達成するため、本発明は、次の構成による。端子台の台座を設け、その上に１個または複数の端子溝を設ける。座金を前記の端子溝内に置き、前記座金の最上面に平台を形成し、かつ中央にスルーホールを設け、前記座金の両側にそれぞれ嵌合片を設け、嵌合片には嵌め合わせ部があり、前記座金の片側の嵌合片の末端には端子ピンが設けてある。逆Ｕ形ナットの最上部にスルーホールが設けてあり、かつ両側に翼片が設けてあり、前記翼片上に座金の嵌合片に対応した別の嵌め合わせ部が設けてある。前記逆Ｕ形ナットを座金の下方に置き、両者の嵌め合わせ部を互いにつき合あわせ、互いに嵌め合わせて転動しないようにする。固定部品は、ねじまたはねじくぎとし、座金および逆Ｕ形ナットを貫通して固定する。
【００１１】
本発明の請求項１に記載の端子台の構造によると、少なくとも１個の端子溝が設けてある台座と、前記端子溝内に置かれ、最上面に平台が形成され、かつ中央にスルーホールが設けてあり、両側にそれぞれ嵌合片を設け、嵌合片上に嵌め合わせ部が設けてあり、片側の嵌合片の末端に端子ピンが設けてある座金と、最上部にねじ山を有するスルーホールが設けてあり、かつ両側に翼片が設けてあり、該翼片上に座金の嵌合片に対応した別の嵌め合わせ部が設けてあり、座金の下方に置かれ、両者の嵌め合わせ部を互いにつき合わせ、互いに嵌め合わせて転動しないようにする逆Ｕ形ナットと、軸を有し、該軸の上方にワッシャが設けてあり、軸で座金および逆Ｕ形ナットを貫通し、固定する固定部品と、を少なくとも含むことを特徴とする端子台の構造である。
【００１２】
本発明の請求項２に記載の端子台の構造によると、座金の嵌合片が逆刺を有することである。
【００１３】
本発明の請求項３に記載の端子台の構造によると、逆Ｕ形ナットの翼片が逆刺を有することである。
【００１４】
本発明の請求項４に記載の端子台の構造によると、該座金と逆Ｕ形ナットの嵌め合わせ部は、ほぞと溝穴との間の組み合わせである。
【００１５】
本発明の請求項５に記載の端子台の構造によると、該座金は、両側の嵌合片の末端にそれぞれ端子ピンが設けてある。
【００１６】
本発明の請求項６に記載の端子台の構造によると、固定部品は、ねじまたはねじくぎである。
【発明を実施するための最良の形態】
【００１７】
以下、本発明の内容をさらに理解できるようにするため、図面の簡単な説明と合わせて説明する。
【００１８】
図１、２、３、４に示すように、本発明の端子台は少なくとも次の部材を含む。
１個または複数の端子溝（１１）が設けてある台座（１０）。本発明の図面では３個で示されている。
【００１９】
前記端子溝（１１）内に置かれた１個または複数の座金（２０）。座金（２０）は、最上面に平台（２１）が形成してあり、かつ中央にスルーホール（２２）が設けてある。座金（２０）の両側にはそれぞれ逆刺（２３１）を有する嵌合片（２３）が設けてあり、嵌合片（２３）上には嵌め合わせ部（２５）を設けることができる。嵌め合わせ部（２５）は、パンチしたほぞ（図１、３を参照）とすることも、溝穴（図５を参照。後で詳しく述べる）とすることもできる。座金（２０）を端子溝（１１）内に押入れ、嵌合片（２３）で端子溝（１１）の内壁に当接する。逆刺（２３１）は端子溝（１１）内壁に入り込み、緩みを防止することができる。座金（２０）の片側の嵌合片（２３）の末端に端子ピン（２４）を設け、電信の接続位置とする。
【００２０】
最上部にスルーホール（３１）が設けてある逆Ｕ形ナット（３０）。スルーホール（３１）はねじ山を有し、逆Ｕ形ナット（３０）の両側には翼片（３２）が設けてある。翼片（３２）上には座金（２０）の嵌合片（２３）に対応した嵌め合わせ部（３３）が設けてある。図１、３に示す嵌め合わせ部（３３）は、溝穴である。逆Ｕ形ナット（３０）を座金（２０）の下方に設け、両者の嵌め合わせ部（２５）（３３）を互いにつき合わせ、互いに嵌め合わせて転動しないようにする。
【００２１】
主にねじまたはねじくぎである固定部品（４０）。軸の上方にワッシャ（４１）が設けてある。ワッシャ（４１）と座金（２０）の平台（２１）との間は、端子頭（図には未表示）に接する挟持面を構成し、固定部品（１０）が座金（２０）のスルーホール（２２）を貫通し、逆Ｕ形ナット（３０）のねじ山を有するスルーホール（３１）上に螺設することができる。
【００２２】
使用時には、座金（２０）は、逆Ｕ形ナット（３０）と、互いに嵌め合わせ部（２５）（３３）に対応して固定し合い、端子溝（１１）内に置かれる。前記実施例において、座金（２０）の逆刺（２３１）を有する嵌合片（２３）を端子溝に固定し、座金（２０）は、逆Ｕ形ナット（３０）自体と方形体を有し、ちょうど端子溝（１１）内に当接することができ、公知のものの脱落の問題はないと同時に、固定部品（４０）の力が逆Ｕ形ナット（３０）上にかかり、座金（２０）は損壊しにくいことが、本発明の主な長所である。
【００２３】
本発明のもう１つの実施例は、図５に示すように、主に座金（２０）と逆Ｕ形ナット（３０）との間の嵌め合わせ部（２５）（３３）で溝穴と突起を相互に交換しており、本来の創意を失っていない。図６に示すように、座金（２０）は、必要に応じて、両側の嵌合片（２３）の末端に同時に端子ピン（２４）を設けることができる。本発明における端子ピン（２４）の数および簡易な形状の変更は、本発明の特徴に影響を及ぼさない。また、図１に示す座金（２０）は、嵌合片（２３）上に逆刺（２３１）を設けるが、逆刺（２３１）の構造は逆Ｕ形ナット（３０）の翼片（３２）上に設けることもできる。これは通常の応用であるため、別途詳しく説明しない。当然、嵌合片（２３）と翼片（３２）に同時に逆刺（２３１）構造を設けることもでき、同等の代替であり、本発明の範疇に属するものである。
【００２４】
本発明は、特殊な新規の設計であり、構造は創意工夫に富んでいる。その他の小構造を本発明上に簡単に追加し、または突起と溝を相互に交換することができるが、全体的な特徴が本発明の運用の特徴である。簡単な追加または構造が同等である場合、本発明の内容に属する。本発明の明細書および図面は、いずれも本発明の比較的優れた実施可能な例であるが、これによって本発明の特許請求の範囲を制限するものではない。本発明の明細書および図面の内容を運用して行う同等の構造の変化は、本発明の特許請求の範囲に属するものとする。
【産業上の利用可能性】
【００２５】
本発明は、前記の使用が便利で、構造が安定した長所を有し、かつコストを節約することができ、産業上の利用価値を有する。公開された類似の構造の応用はなく、特許要件に適合する。
【図面の簡単な説明】
【００２６】
【図１】本発明の部分分解斜視図である。
【図２】本発明の正面断面図である。
【図３】本発明の側面断面図である。
【図４】本発明の俯瞰断面図である。
【図５】本発明のもう１つの実施例の部分分解斜視図である。
【図６】本発明のさらにもう１つの実施例の説明図である。
【図７】公知の第一種の端子台の説明図である。
【図８】図７の横断面図である。
【図９】公知の第二種の端子台の説明図である。
【符号の説明】
【００２７】
（本発明の符号）
１０    台座
１１    端子溝
２０    座金
２１    平台
２２    スルーホール
２３    嵌合片
２３１  逆刺
２４    端子ピン
２５    嵌め合わせ部
３０    逆Ｕ形ナット
３１    スルーホール
３２    翼片
３３    嵌め合わせ部
４０    固定部品
４１    ワッシャ
（公知の符号）
５０    固定部品
５１    ワッシャ
６０    座金
６１    平台
６２    スルーホール
６３    嵌合片
６４    端子ピン
７０    ナット
８０    台座
８１    端子溝
８２    位置決め溝
９０    座金
９１    ねじ穴
【図１】
2010027410.tif 000003
【図２】
2010027410.tif 000004
【図３】
2010027410.tif 000005
【図４】
2010027410.tif 000006
【図５】
2010027410.tif 000007
【図６】
2010027410.tif 000008
【図７】
2010027410.tif 000009
【図８】
2010027410.tif 000010
【図９】
2010027410.tif 000011